【手続補正書】
【提出日】平成26年6月13日(2014.6.13)
【手続補正１】
【補正対象書類名】特許請求の範囲
【補正対象項目名】全文
【補正方法】変更
【補正の内容】
【特許請求の範囲】
【請求項１】
データを送信する方法であって、
宛先デバイスに、第１のサイズの第１のデータ・ブロックを送信することであって、前記第１のデータ・ブロックを第１のデータ伝送レートで送信することと、
前記第１のデータ・ブロックの前記宛先デバイスによる成功受信を示すアクノレッジメント（ＡＣＫ）メッセージの受信に応答して、前記宛先デバイスに、第２のサイズの第２のデータ・ブロックを送信することと、ここで、前記第２のサイズは、前記第１のサイズより大きい、
データ・ブロックが前記宛先デバイスによって成功受信されたことを示す連続のＡＣＫメッセージをしきい値数受信したことに応答して、前記宛先デバイスに、第３のサイズの第３のデータ・ブロックを送信することであって、前記第３のサイズは、前記第２のサイズよりも小さく、前記第３のデータ・ブロックを前記第１のデータ伝送レートよりも高い第２のデータ伝送レートで送信することと
を備える方法。
【請求項２】
前記第３のサイズの前記第３のデータ・ブロックの前記宛先デバイスによる成功受信を示す第２のＡＣＫメッセージを受信することと、
前記第２のＡＣＫメッセージの受信に応答して、前記宛先デバイスに、第４のサイズの第４のデータ・ブロックを送信することと、ここで、前記第４のサイズは、前記第３のサイズよりも大きい、
をさらに備える、請求項１に記載の方法。
【請求項３】
前記宛先デバイスが第３のデータ伝送レートで送信された連続のデータ・ブロックをしきい値数成功受信しなかった、と決定することに応答して、第４のデータ伝送レートで第４のデータ・ブロックを送信することと、ここで、前記第４のデータ伝送レートは、前記第３のデータ伝送レートよりも低い、
をさらに備える、請求項１に記載の方法。
【請求項４】
前記宛先デバイスが第４のサイズの第４のデータ・ブロックを成功受信しなかった、と決定することに応答して、前記宛先デバイスに、第５のサイズの第５のデータ・ブロックを送信することと、ここで、前記第５のサイズは、前記第４のサイズよりも小さいサイズである、
をさらに備える、請求項１に記載の方法。
【請求項５】
前記宛先デバイスが前記第４のサイズの前記第４のデータ・ブロックを成功受信しなかった、と決定することは、前記第４のデータ・ブロックのためのＡＣＫメッセージを受信しないことを備える、請求項４に記載の方法。
【請求項６】
前記宛先デバイスからパイロット信号を受信することと、
前記パイロット信号に基づいて、前記宛先デバイスへの通信リンクの品質を決定することと、
前記品質に基づいて、第１のデータ伝送レートを選択することと
をさらに備える、請求項１に記載の方法。
【請求項７】
前記品質を決定することは、前記パイロット信号の測定された電力と、フレーム誤り率の決定と、搬送波対雑音比の決定と、のうちの１つ以上に基づいて前記品質を決定することを備える、請求項６に記載の方法。
【請求項８】
データを送信するための通信装置であって、
宛先デバイスに、第１のサイズの第１のデータ・ブロックを送信するように構成された送信機と、ここで、前記第１のデータ・ブロックは、第１のデータ伝送レートで送信される、
コントローラであって、
前記宛先デバイスによる前記第１のデータ・ブロックの成功受信を示すアクノレッジメント（ＡＣＫ）メッセージの受信に応答して、前記送信機に、前記宛先デバイスに第２のサイズの第２のデータ・ブロックを送信させ、ここで、前記第２のサイズは、前記第１のサイズより大きい、
データ・ブロックが前記宛先デバイスによって成功受信されたことを示す連続のＡＣＫメッセージをしきい値数受信したことに応答して、前記送信機に、前記宛先デバイスに第３のサイズの第３のデータ・ブロックを送信させ、前記第３のサイズは、前記第２のサイズよりも小さく、前記第３のデータ・ブロックは、前記第１のデータ伝送レートよりも高い第２のデータ伝送レートで送信される、
ように構成されたコントローラと
を備える通信装置。
【請求項９】
前記コントローラはさらに、
前記第３のサイズの前記第３のデータ・ブロックの前記宛先デバイスによる成功受信を示す第２のＡＣＫメッセージの受信に応答して、前記送信機に、前記宛先デバイスに第４のサイズの第４のデータ・ブロックを送信させる
ように構成され、前記第４のサイズは、前記第３のサイズよりも大きい、請求項８に記載の通信装置。
【請求項１０】
前記コントローラはさらに、
前記宛先デバイスが第１のデータ伝送レートで送信された連続のデータ・ブロックをしきい値数成功受信しなかった、と決定することに応答して、前記送信機に、第３のデータ伝送レートで第４のデータ・ブロックを送信させる
ように構成され、前記第３のデータ伝送レートは、前記第２のデータ伝送レートよりも低い、請求項８に記載の通信装置。
【請求項１１】
前記コントローラはさらに、
前記宛先デバイスが第４のサイズの第４のデータ・ブロックを成功受信しなかった、と決定することに応答して、前記送信機に、前記宛先デバイスに第５のサイズの第５のデータ・ブロックを送信させる
ように構成され、前記第５のサイズは、前記第４のサイズよりも小さいサイズである、請求項８に記載の通信装置。
【請求項１２】
前記宛先デバイスが前記第４のサイズの前記第４のデータ・ブロックを成功受信しなかった、と決定することは、前記第４のデータ・ブロックのためのＡＣＫメッセージを受信しないことを備える、請求項１１に記載の通信装置。
【請求項１３】
前記宛先デバイスからパイロット信号を受信するように構成された受信機をさらに備え、前記コントローラはさらに、
前記パイロット信号に基づいて、前記宛先デバイスへの通信リンクの品質を決定し、
前記品質に基づいて、第１のデータ伝送レートを選択する
ように構成される、請求項８に記載の通信装置。
【請求項１４】
前記コントローラは、前記パイロット信号の測定された電力と、フレーム誤り率の決定と、搬送波対雑音比の決定と、のうちの１つ以上に基づいて前記通信リンクの品質を決定する、請求項１３に記載の通信装置。
【請求項１５】
データを送信するための装置であって、
宛先デバイスに、第１のサイズの第１のデータ・ブロックを送信する手段と、ここで、前記第１のデータ・ブロックは、第１のデータ伝送レートで送信される、
前記第１のデータ・ブロックの前記宛先デバイスによる成功受信を示すアクノレッジメント（ＡＣＫ）メッセージの受信に応答して、前記宛先デバイスに、第２のサイズの第２のデータ・ブロックを送信する手段と、ここで、前記第２のサイズは、前記第１のサイズより大きい、
データ・ブロックが前記宛先デバイスによって成功受信されたことを示す連続のＡＣＫメッセージをしきい値数受信したことに応答して、前記宛先デバイスに、第３のサイズの第３のデータ・ブロックを送信する手段と、ここで、前記第３のサイズは、前記第２のサイズよりも小さく、前記第３のデータ・ブロックは、前記第１のデータ伝送レートよりも高い第２のデータ伝送レートで送信される、
を備える装置。
【請求項１６】
前記第３のサイズの前記第３のデータ・ブロックの前記宛先デバイスによる成功受信を示す第２のＡＣＫメッセージを受信する手段と、
前記第２のＡＣＫメッセージの受信に応答して、前記宛先デバイスに、第４のサイズの第４のデータ・ブロックを送信する手段と、ここで、前記第４のサイズは、前記第３のサイズよりも大きい、
をさらに備える、請求項１５に記載の装置。
【請求項１７】
請求項１乃至７のうちのいずれか一項に記載された方法をコンピュータに実行させるプログラム。
【請求項１８】
請求項１乃至７のうちのいずれか一項に記載された方法をコンピュータに実行させるプログラムを記録したコンピュータ読み取り可能な記憶デバイス。